【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
薄く、実質的に平坦な基盤と、
該基盤上に配置され、１つ以上の圧迫特性を測定する１つ以上のセンサー配列と、
該基盤上に配置された出力インターフエースと、
該基盤上に配置され、該１つ以上のセンサー配列及び該出力インターフエースに接続されたプロセサー又はアナログ回路と、そして
該基盤上に配置され、該１つ以上のセンサー配列、該出力インターフエース及び該プロセサー又は該アナログ回路に接続された電源と、を具備することを特徴とする心肺蘇生センサー。
【請求項２】
基盤が柔軟であることを特徴とする請求項１記載の心肺蘇生センサー。
【請求項３】
基盤が堅強又は半ば柔軟であることを特徴とする請求項１記載の心肺蘇生センサー。
【請求項４】
該基盤がポリマー又は金属フィルムを備え、そして
該１つ以上の圧迫特性が深さ、力、周波数又は加速度を有することを特徴とする請求項１乃至３のいずれか１に記載の心肺蘇生センサー。
【請求項５】
該センサー配列、該プロセサー又は該アナログ回路、そして該電源をカバーする保護層を更に具備することを特徴とする請求項１乃至４のいずれか１に記載の心肺蘇生センサー。
【請求項６】
上保護層、下保護層を更に備え、実質的に平坦な該基盤が該上保護層及び下保護層の間に配置されることを特徴とする請求項１乃至４のいずれか１に記載の心肺蘇生センサー。
【請求項７】
上保護層及び下保護層が基盤を内包することを特徴とする請求項６記載の心肺蘇生センサー。
【請求項８】
下保護層と基盤との間に配置されたエネルギー発生層を更に備えることを特徴とする請求項６記載の心肺蘇生センサー。
【請求項９】
１つ以上の該センサー配列が、１つ以上の加速度計と、そして、１つ以上の該加速度計の周りに位置付けられた１つ以上の圧力センサーとを備えることを特徴とする請求項１乃至８のいずれか１に記載の心肺蘇生センサー。
【請求項１０】
該プロセサー又は該アナログ回路は、１つ以上の動作パラメーターが１つ以上のガイドライン内にあるかどうかを決定し、該動作パラメーターが該ガイドライン内にあるかどうかに関するフィードバックを該出力インターフエースを経由して提供し、そして
該１つ以上の動作パラメーターは印加圧力、加速度、胸部押し下げ量、押し下げ回数、開放動作回数、そして心電的活性又はそれらの組み合わせを有することを特徴とする請求項１乃至９のいずれか１に記載の心肺蘇生センサー。
【請求項１１】
該プロセサー又は該アナログ回路に接続され、該１つ以上のパラメーター、該フィードバック、該心肺蘇生センサーのステイタス、診断情報又はそれらの組み合わせを記憶するデータ記憶装置を更に具備することを特徴とする請求項１０記載の心肺蘇生センサー。
【請求項１２】
該データ記憶装置がアールエフアイデータグ、磁気ストリップ、メモリー又はそれらの組み合わせを備えることを特徴とする請求項１１記載の心肺蘇生サンサー。
【請求項１３】
１つ以上の該センサー配列が、１つ以上の動作パラメーターを更に測定し、
該１つ以上の動作パラメーターが、心肺蘇生受け手との物理的接触、心肺蘇生与え手との物理的接触、該心肺蘇生受け手の温度、該心肺蘇生受け手の心拍、該心肺蘇生受け手の脈拍又は該心肺蘇生受け手の心電的活性を備えることを特徴とする請求項１乃至１２のいずれか１に記載の心肺蘇生センサー。
【請求項１４】
該出力インターフエースが、視覚的デイスプレー、スピーカー、マルチトーン発生器、通信インターフエース又はそれらの組み合わせを備えることを特徴とする請求項１乃至１３のいずれか１に記載の心肺蘇生センサー。
【請求項１５】
該視覚的デイスプレーが、該心肺蘇生与え手へのフィードバック、心肺蘇生センサーのステイタス、該心肺蘇生受け手のステイタス又はそれらの組み合わせを提供する発光ダイオードのセット、液晶デイスプレー又はそれらの組み合わせを備えることを特徴とする請求項１４記載の心肺蘇生センサー。
【請求項１６】
該通信インターフエースが光学的通信インターフエース、赤外線通信インターフエース、無線通信トランシーバー、物理的通信ポート又はそれらの組み合わせを備えることを特徴とする請求項１４記載の心肺蘇生センサー。
【請求項１７】
該無線トランシーバーが能動的無線周波数認識タグ、受動的無線周波数認識タグ、セルラーホン、インターネット接続又はパーソナルデータアシスタントを備えることを特徴とする請求項１６記載の心肺蘇生センサー。
【請求項１８】
該基盤上に配置され、該プロセサー又は該アナログ回路に接続された地理的ロケーターと、そして
該基盤上に配置され、該プロセサー又は該アナログ回路に接続された通信インターフエースと、を更に具備しており、該プロセサー又は該アナログ回路は該心肺蘇生センサーのステイタス、該地理的ロケーターにより決定された該心肺蘇生センサーの位置、診断情報、該心肺蘇生受け手のステイタス又はそれらの組み合わせを該通信インターフエースを経由して医療サービス提供者へ周期的に送信することを特徴とする請求項１乃至１７のいずれか１に記載の心肺蘇生センサー。
【請求項１９】
該基盤は該センサーの劣化無しに延ばされ、リンクルされ又は曲げられ得ることを特徴とする請求項２記載の心肺蘇生センサー。
【請求項２０】
該心肺蘇生センサーが、マネキン、心肺蘇生受け手、デバイス、ビジネスカード、クレディットカード、デビットカード、会員カード、運転免許証、認識カード、財布、衣服又は他の薄い携帯用ユーザーデバイスの中に一体化されるか、又はそれに取り付けられることを特徴とする請求項１ないし１９のいずれか１に記載の心肺蘇生センサー。
【請求項２１】
該デバイスが、除細動器、電話、モバイル通信デバイス、セルラーホン、オーディオ及び／又はビデオデバイス又はパーソナルデータアシスタントを備えることを特徴とする請求項２０記載の心肺蘇生センサー。
【請求項２２】
該心肺蘇生センサーが、面積及び厚さに於いて、クレディットカードに似て形作られることを特徴とする請求項１乃至２１のいずれか１に記載の心肺蘇生センサー。
【請求項２３】
該電源がバッテリー、ソーラーパネル、圧迫時電圧発生用のピエゾ電気フイルム層、電磁的電圧発生器、エネルギーハーベスティングデバイス又はそれらの組み合わせを備えることを特徴とする請求項１乃至２２のいずれか１に記載の心肺蘇生センサー。
【請求項２４】
該バッテリーが取り換え可能又は再充電可能であることを特徴とする請求項２３記載の心肺蘇生センサー。
【請求項２５】
該電源が
バッテリー、
圧迫時電圧発生用のピエゾ電気フイルム層又は他のエネルギーハーベスティング方法、及び
該バッテリーと、該圧迫時電圧発生用のピエゾ電気フイルム層と、での電力の消費と貯蔵とを管理する電力制御器、を備えることを特徴とする請求項１乃至２４のいずれか１に記載の心肺蘇生センサー。
【請求項２６】
該心肺蘇生センサーが使い捨て可能であることを特徴とする請求項１乃至２５のいずれか１に記載の心肺蘇生センサー。
【請求項２７】
該心肺蘇生センサーの後外面上に配置された接着剤層、及び
該接着剤層をカバーする除去可能な保護材料のシート、を更に具備することを特徴とする請求項１乃至２６のいずれか１に記載の心肺蘇生センサー。
【請求項２８】
該心肺蘇生センサーの外部又は内部に配置された磁気ストリップ、アールエフアイデータグ、無線通信デバイス又は他の情報保持デバイスを更に具備することを特徴とする請求項１乃至２７のいずれか１に記載の心肺蘇生センサー。
【請求項２９】
シリコンウエーハをパシベートする過程と、
該ウエーハにポリイミド層を付加する過程と、
エムイーエムエスプロセスを用いて１つ以上のセンサー配列を創る過程であって、１つ以上の該センサー配列が圧迫深さ及び圧迫力を測定する過程と、
該個別ダイ／センサーを抽出するために該ウエーハをダイスする過程と、
基盤上に回路をプリントする過程と、
該個別ダイ／センサーを受け、取り付けるために該基盤にペースト又はエポキシを付ける過程と、
該基盤上に該個別ダイ／センサーを置く過程と、
電気的相互接続部と、出力インターフエース、プロセサー又はアナログ回路及び電源と、を有する下部保護層上に該基盤を置く過程と、
下部保護層に該基盤を取り付ける過程と、
該心肺蘇生センサーの組み立てを完成するために該基盤及び該下部保護層に対し上部保護層を置いて取り付ける過程、を具備することを特徴とする心肺蘇生センサーを製造する方法。
【請求項３０】
更に、該心肺蘇生センサーをテストする過程を具備することを特徴とする請求項２９記載の心肺蘇生センサーを製造する方法。